(57)【特許請求の範囲】
【請求項１】
シール材付きの戸枠と、戸先側、戸尻側の戸車を介して前記戸枠のガイドレールに吊下する吊戸と、該吊戸の下部をガイドする床側のガイドローラとを備えてなり、前記ガイドレールは、前記吊戸の戸先側に向けて低く傾斜し、前記戸車は、それぞれ先端にすりわりを有するねじ付きの軸と、該軸のねじ部をねじ込むねじ孔付きのブラケットとを介して前記吊戸の上端に付設し、前記ガイドローラは、水平揺動可能な取付ベース上に上向きに配設し、前記吊戸を前記ガイドローラ上に吊下したまま前記吊戸の厚さ方向に移動調節可能であることを特徴とする吊戸装置。
【請求項２】
前記シール材は、前記戸枠の上枠と、戸先側、戸尻側の各竪枠とに付設し、閉じ位置の前記吊戸の上部、戸先側、戸尻側をシールすることを特徴とする請求項１記載の吊戸装置。
【請求項３】
前記吊戸の下部には、弾性材により形成する下向きの補助シール材を装着することを特徴とする請求項１または請求項２記載の吊戸装置。
【請求項４】
前記補助シール材は、ばねを介して下向きに付勢するとともに、外部から操作可能な調節ねじによって緊張させ、緩ませるワイヤを介して高さ調節することを特徴とする請求項３記載の吊戸装置。
【発明の詳細な説明】
【０００１】
【発明の属する技術分野】
この発明は、良好なシール性を容易に実現することができる吊戸装置に関する。
【０００２】
【従来の技術】
シール機能を有する吊戸装置を建築物の出入口などに設置することがある。
【０００３】
従来の吊戸装置は、戸枠にシール材を付設し、吊戸をガイドレールから開閉自在に吊下するとともに、床側に設置するガイドローラを介して吊戸の下部をガイドしている。そこで、このものは、ガイドレールに沿って吊戸を前後に移動させて開閉し、閉じ位置の吊戸の戸先側、戸尻側、上部を戸枠のシール材に接触させてシールすることができる。
【０００４】
【発明が解決しようとする課題】
かかる従来技術によるときは、吊戸装置は、吊戸と戸枠との間の隙間を調整することができないので、閉じ位置の吊戸を戸枠側のシール材に正しく接触させることができず、良好なシール性を実現することが難しいという問題があった。
【０００５】
そこで、この発明の目的は、かかる従来技術の問題に鑑み、吊戸の厚さ方向に移動調節可能な戸車、ガイドローラを使用することによって、良好なシール性を容易に実現することができる吊戸装置を提供することにある。
【０００６】
【課題を解決するための手段】
かかる目的を達成するためのこの発明の構成は、シール材付きの戸枠と、戸先側、戸尻側の戸車を介して戸枠のガイドレールに吊下する吊戸と、吊戸の下部をガイドする床側のガイドローラとを備えてなり、ガイドレールは、吊戸の戸先側に向けて低く傾斜し、戸車は、それぞれ先端にすりわりを有するねじ付きの軸と、軸のねじ部をねじ込むねじ孔付きのブラケットとを介して吊戸の上端に付設し、ガイドローラは、水平揺動可能な取付ベース上に上向きに配設し、吊戸をガイドローラ上に吊下したまま吊戸の厚さ方向に移動調節可能であることをその要旨とする。
【０００７】
なお、シール材は、戸枠の上枠と、戸先側、戸尻側の各竪枠とに付設し、閉じ位置の吊戸の上部、戸先側、戸尻側をシールすることができる。
【０００８】
また、吊戸の下部には、弾性材により形成する下向きの補助シール材を装着することができる。
【０００９】
さらに、補助シール材は、ばねを介して下向きに付勢するとともに、外部から操作可能な調節ねじによって緊張させ、緩ませるワイヤを介して高さ調節してもよい。
【００１１】
【作用】
かかる発明の構成によるときは、戸車、ガイドローラは、それぞれ吊戸の厚さ方向に移動調節可能であるから、吊戸と戸枠との間の隙間を任意に調整し、閉じ位置の吊戸を戸枠のシール材の全長に亘って正しく接触させて良好なシール性を実現することができる。また、ガイドレールは、吊戸の戸先側に向けて低く傾斜し、自動閉鎖形の吊戸を形成する。なお、シール材は、戸枠に対し、門形に付設するものとする。
【００１２】
シール材は、戸枠の上枠と、戸先側、戸尻側の各竪枠とに付設することにより、閉じ位置の吊戸の上部、戸先側、戸尻側をシールすることができる。なお、このときの吊戸は、閉じ位置以外の位置においてシール材に接触することがなく、軽快に開閉操作することができる。ただし、吊戸は、戸枠に向けて突出する段部を上部と戸尻側とに形成し、閉じ位置において、上枠と戸尻側の竪枠とのシール材に対してそれぞれ段部を介して接触させ、戸先側の竪枠のシール材に対して直接接触させることが好ましい。
【００１３】
水平揺動可能な取付ベース上に配設するガイドローラは、吊戸を開き位置に位置させると、吊戸の床側の隙間を利用して取付ベースを揺動させ、吊戸をガイドレールから吊下したまま簡単に移動調節することができる。なお、吊戸は、開き方向に移動させると、ガイドレールの傾斜に従って上昇し、床側との隙間が拡大する。
【００１４】
吊戸の下部に下向きの補助シール材を装着すれば、補助シール材は、吊戸を閉じ位置にすることにより、吊戸と床側との隙間を有効にシールすることができる。なお、補助シール材は、閉じ位置の吊戸の床側の隙間に合わせて高さ調節する。
【００１５】
補助シール材は、外部から高さ調節することにより、吊戸をガイドレールから外すことなく、簡単に高さ調節することができる。
【００１６】
ばねを介して下向きに付勢する補助シール材は、所定の押圧力によって床側に接触させることができる上、床側に障害物が存在すると、上方に容易に退避させることができる。なお、ばねは、捻りばねの他、引張りばね、圧縮ばね等の任意の形態を使用することができる。
【００１７】
【発明の実施の形態】
以下、図面を以って発明の実施の形態を説明する。
【００１８】
吊戸装置は、シール材１６、１６…付きの戸枠１０と、戸枠１０のガイドレール３１に吊下する吊戸２０と、吊戸２０の下部をガイドする床Ｆ側のガイドローラ３７とを備えてなる（図１）。
【００１９】
戸枠１０は、竪枠１１、１２、上枠１３を門形に組み合わせて形成されている。なお、戸先側の竪枠１１は、戸尻側の竪枠１２、上枠１３より幅広に形成され、吊戸２０の戸先側を収納する凹部１１ａが形成されている。竪枠１２の後方には、竪枠１１の凹部１１ａに対向するようにして柱材１７が壁Ｗに沿って立設されており、柱材１７は、壁Ｗや、図示しない必要なパネル材とともに、開き位置の吊戸２０を収納する戸袋を形成する。また、竪枠１１、柱材１７の間には、下枠１８が床Ｆに埋設されている。
【００２０】
戸枠１０の上方には、竪枠１１、柱材１７間に架設するベース材３２を介してガイドレール３１が設置されており、ベース材３２には、止めねじ３３ａ、３３ａ…を介し、ガイドレール３１を隠蔽するカバー３３が着脱可能に付設されている。なお、ガイドレール３１は、吊戸２０の戸先側が戸尻側より低くなるように所定勾配に傾斜して設置されている。そこで、吊戸２０は、ガイドレール３１に沿って竪枠１１、柱材１７間を前後に移動して戸枠１０内を開閉することができる。
【００２１】
竪枠１１、１２、上枠１３は、それぞれ適切に曲げ加工する複数の板材を組み合わせて形成されており（図２、図３）、シール材１６を収納する溝部１１ｂ、１２ｂ、１３ｂが形成されている。竪枠１１の溝部１１ｂは、凹部１１ａ内の吊戸２０側に開口しており、竪枠１２、上枠１３の溝部１２ｂ、１３ｂも、それぞれ吊戸２０側に開口している。シール材１６、１６…は、それぞれ図示しない両面テープなどを介して溝部１１ｂ、１２ｂ、１３ｂに収納して固定され、溝部１１ｂ、１２ｂ、１３ｂから突出する起倒可能な薄肉のリブ１６ａが全長に亘って形成されている。なお、シール材１６は、リブ１６ａが軟質に形成され、それ以外の部分が硬質に形成されている。
【００２２】
竪枠１１、１２のシール材１６、１６は、それぞれのリブ１６ａが吊戸２０の閉じ方向に傾いており、上枠１３のシール材１６は、リブ１６ａが下方向に傾いている。なお、竪枠１１のシール材１６は、竪枠１２、上枠１３のシール材１６、１６に対し、吊戸２０の上部、戸尻側の段部ｄx 、ｄx 相当だけ吊戸２０側にオフセットして配置されている。
【００２３】
吊戸２０は、上下のフレーム材２１、２１に表面材２２、２２を付設し、断熱防音用のハニカム材２３を収納して形成されている。フレーム材２１、２１は、それぞれ下部開放のチャンネル状に形成されており、下部のフレーム材２１には、止めねじ２７ａを介して補助フレーム２７が組み込まれている。なお、吊戸２０は、戸先側、戸尻側の側端面にカバー材２４、２４が付設されており、戸先側の側端面には、カバー材２４を介し、弾性材から形成する戸当り２８が装着されている。また、吊戸２０の戸先側には、把手２５、２５が両面に付設されており、戸当り２８の下部には、透孔２８ａが形成されている（図１）。
【００２４】
吊戸２０の上部、戸尻側には、それぞれ目板材２６が付設されている（図２、図３）。戸尻側の目板材２６は、スペーサ２６ｂ、止めねじ２６ｃを介して固定されており、上部の目板材２６は、戸車３５用のブラケット３６を固定するボルト３６ｂを介して固定されている。各目板材２６には、吊戸２０の縁部分を収納するカバー部２６ａ、２６ａが形成されており、カバー部２６ａ、２６ａは、それぞれ僅かに斜め内向きにして先端縁を内側に折り返している。なお、戸枠１０側のカバー部２６ａは、吊戸２０の表面に段部ｄx を形成している。
【００２５】
戸車３５、３５は、それぞれ先端にすりわりを有するねじ付きの軸３５ａ、ブラケット３６を介して吊戸２０の上端に付設されている（図２、図４）。ただし、図４（Ａ）、（Ｂ）は、それぞれ図１の要部分解斜視図、図１のＺ−Ｚ線矢視相当拡大断面図である。各ブラケット３６は、スペーサ３６ｃ、３６ｃ…、ボルト３６ｂ、３６ｂを介して吊戸２０の上端面に固定されている。ただし、戸先側、戸尻側のブラケット３６、３６は、それぞれガイドレール３１の勾配に合わせてスペーサ３６ｃの枚数が選定されており、各ブラケット３６用のボルト３６ｂ、３６ｂは、吊戸２０の上部のフレーム材２１に内装する共通の板ナット３６ｄにねじ込まれている。
【００２６】
各戸車３５は、軸３５ａのねじ部をブラケット３６の垂直部分のねじ孔３６ａにねじ込み、座金３５ｅ、ロックナット３５ｄを介してブラケット３６に組み付けられている。各戸車３５は、ロックナット３５ｄを緩めて軸３５ａをまわすことにより、ブラケット３６の垂直部分との間隔ｄを変更して吊戸２０の厚さ方向に移動調節可能である。すなわち、ガイドレール３１に係合している戸車３５、３５は、ガイドレール３１に対し、吊戸２０の上部を厚さ方向に変位させることができる（図４（Ｂ）の実線、二点鎖線）。
【００２７】
ガイドローラ３７は、水平揺動可能な取付ベース３８を介して床Ｆ側の下枠１８に取り付けられ（図２、図５）、吊戸２０の下部のフレーム材２１、補助フレーム２７の間に収納されている。ただし、図５（Ａ）、（Ｂ）は、それぞれ図１の要部拡大分解斜視図、図３の要部拡大説明図である。取付ベース３８は、下枠１８上のスタッドボルト１８ｃ、１８ｄを取付孔３８ａ、長孔３８ｂに挿入し、座金３８ａ2 、３８ｂ2 、ナット３８ａ1 、３８ｂ1 を介して下枠１８に取り付けられている。なお、ガイドローラ３７は、ボス３８ｃを介して取付ベース３８の先端に上向きに配設され、下部のフレーム材２１、補助フレーム２７に転動自在に係合している。
【００２８】
取付ベース３８は、ナット３８ａ1 、３８ｂ1 を緩め、長孔３８ｂを介して左右に水平揺動させて（図５（Ｂ）の実線、二点鎖線）、ガイドローラ３７を吊戸２０の厚さ方向に移動調節することができる。すなわち、ガイドローラ３７は、下部のフレーム材２１、補助フレーム２７に係合することにより、吊戸２０の下部を厚さ方向に変位させることができる。
【００２９】
吊戸２０の下部には、高さ調節可能な下向きの補助シール材４１が装着されている（図６、図７）。ただし、図７（Ａ）、（Ｂ）は、それぞれ図６のＡ−Ａ線、Ｂ−Ｂ線矢視相当拡大断面図である。
【００３０】
補助シール材４１は、弾性材により断面羽根状に形成され、ホルダ４２を介して下向きに保持されている。ホルダ４２の上辺の中間部分には、上下の係合溝４２ｂ、４２ｂを有するフック部４２ａが形成されている。なお、フック部４２ａの両端部には、補助フレーム２７の長孔２７ｂ、２７ｂに係合するガイドピン４２ｃ、４２ｃが付設されている。ホルダ４２は、フック部４２ａの下側の係合溝４２ｂに係合するワイヤ４３を介して吊下されており、ワイヤ４３の両端は、それぞれ外れ止め４３ａを介し、調節ねじ４４、４４に螺合するねじ部材４４ｂ、４４ｂに連結されている。なお、調節ねじ４４、４４は、それぞれ補助フレーム２７の垂直部分に固定するブラケット４４ｃを介して回転自在に支持されている。
【００３１】
補助フレーム２７の垂直部分には、ブラケット４４ｃ、４４ｃに対応して開口部２７ｃ、２７ｃが形成されている。各開口部２７ｃは、調節ねじ４４の頭部４４ａ、ねじ部材４４ｂを部分的に収納し、補助シール材４１を収納するための補助フレーム２７、フレーム材２１の間のスペースＳを最小に抑えることができる。また、補助フレーム２７には、ボス２７ｄ、２７ｄを介し、補助シール材４１を下向きに付勢する捻りばね形のばね４５、４５が付設されており、各ばね４５の両端は、補助フレーム２７の上部の水平部分、ホルダ４２の上側の係合溝４２ｂにそれぞれ係合している。
【００３２】
そこで、補助シール材４１は、たとえば戸先側の調節ねじ４４を回転してワイヤ４３を緊張させ（図８の実線）、ばね４５、４５に抗してホルダ４２を上昇させて吊戸２０に収納することができる。このとき、ホルダ４２は、ガイドピン４２ｃ、４２ｃ、長孔２７ｂ、２７ｂを介してガイドされ、調節ねじ４４は、吊戸２０の戸先側の戸当り２８の透孔２８ａを介して外部から操作することができる。また、補助シール材４１は、調節ねじ４４を介してワイヤ４３を緩め、ばね４５、４５を介してホルダ４２を下降させ（同図の二点鎖線）、吊戸２０の下方に突出させることができる。すなわち、補助シール材４１は、調節ねじ４４、４４の一方または双方を介して吊戸２０の外部から高さ調節可能である。なお、調節ねじ４４、４４は、吊戸２０の戸先側、戸尻側に設け、吊戸２０を右開き形、左開き形の双方に対応させてもよく、戸先側にのみ設けてもよい。
【００３３】
かかる吊戸装置は、次のようにして機能する。
【００３４】
吊戸２０は、戸車３５、３５、ガイドローラ３７をそれぞれ吊戸２０の厚さ方向に移動調節し、閉じ位置における戸枠１０との隙間ｄa を任意に調整することができる（図２、図３）。なお、戸車３５、３５、ガイドローラ３７は、ガイドレール３１から吊戸２０を吊下したまま移動調節可能である。ただし、ガイドローラ３７は、吊戸２０を開き位置（図３の二点鎖線）にして調節するのがよい。開き位置の吊戸２０は、ガイドレール３１の勾配に従って閉じ位置より上昇し、下枠１８との間に、ナット３８ａ1 、３８ｂ1 に工具が十分届く程度の隙間を形成するからである。一方、補助シール材４１は、吊戸２０が閉じ位置に位置するとき、下枠１８に正しく接触して吊戸２０、下枠１８の隙間ｄb を遮蔽するように、戸先側の調節ねじ４４を介して高さ調節する（図２）。
【００３５】
このようにして戸枠１０、吊戸２０の間の隙間ｄa を調整し、補助シール材４１を正しく高さ調節すると、吊戸２０は、閉じ位置において、戸先側を竪枠１１のシール材１６のリブ１６ａの全長に亘って直接接触させ、上部、戸尻側の目板材２６、２６のカバー部２６ａ、２６ａを上枠１３、竪枠１２のシール材１６、１６のリブ１６ａ、１６ａの全長に亘って接触させることができる。そこで、このときの吊戸２０は、補助シール材４１をも全長に亘って下枠１８に接触させ、良好なシール性を実現して戸枠１０内を閉じることができる。
【００３６】
一方、吊戸２０は、閉じ位置から開くと、シール材１６、１６…のリブ１６ａ、１６ａ…から速やかに離れ、補助シール材４１を下枠１８から速やかに離すことができる。すなわち、吊戸２０は、開き方向に後退すると、戸先側が竪枠１１のシール材１６から離れ、戸尻側の目板材２６が竪枠１２のシール材１６から離れ、しかも、竪枠１２のシール材１６は、吊戸２０の表面に接触することがない。また、このときの吊戸２０は、ガイドレール３１の勾配に従って上昇し、上部の目板材２６が上枠１３のシール材１６から上方に速やかに離れ、補助シール材４１が下枠１８から速やかに離れる。すなわち、吊戸２０は、開閉操作の途中において、シール材１６、１６…に接触することがなく、補助シール材４１が下枠１８に摺接しないから、軽快な操作感を容易に実現することができる。
【００３７】
以上の説明において、取付ベース３８を固定するスタッドボルト１８ｃ、１８ｄ、ナット３８ａ1 、３８ｂ1 は、戸車３５用のブラケット３６を固定するボルト３６ｂ、３６ｂに倣って、下枠１８に内装する図示しない板ナットにねじ込むボルトに代えてもよい。
【００３８】
【発明の効果】
以上説明したように、この発明によれば、戸車、ガイドローラを吊戸の厚さ方向に移動調節可能にすることによって、戸車、ガイドローラは、戸枠に対する吊戸の隙間を任意に調整することができ、閉じ位置の吊戸を戸枠のシール材に正しく接触させることができるから、良好なシール性を容易に実現することができる上、軽快な操作感を得ることができるという優れた効果がある。
【図面の簡単な説明】
【図１】  全体構成分解斜視図
【図２】  図１のＸ−Ｘ線矢視相当拡大断面図
【図３】  図１のＹ−Ｙ線矢視相当拡大断面図
【図４】  要部拡大構成説明図（１）
【図５】  要部拡大構成説明図（２）
【図６】  要部拡大分解斜視図
【図７】  図６の要部拡大断面説明図
【図８】  要部動作説明図
【符号の説明】
Ｆ…床
１０…戸枠
１１、１２…竪枠
１３…上枠
１６…シール材
２０…吊戸
３１…ガイドレール
３５…戸車
３７…ガイドローラ
３８…取付ベース
４１…補助シール材
４５…ばね
【図１】
0004718674.tif 000002
【図２】
0004718674.tif 000003
【図３】
0004718674.tif 000004
【図４】
0004718674.tif 000005
【図５】
0004718674.tif 000006
【図６】
0004718674.tif 000007
【図７】
0004718674.tif 000008
【図８】
0004718674.tif 000009